(57)【特許請求の範囲】
【請求項１】
生成反応を行う反応容器が複数個配列されている反応ブロックと、反応容器に試薬および溶媒を分注する試薬・溶媒分注手段とを備え、分注ごとに試薬、溶媒及び反応容器について予め設定された分注手順に従って試薬・溶媒分注手段により試薬および溶媒が分注供給された反応容器において生成反応が行われるよう構成された自動合成装置において、（ａ）装置稼働に必要な画面を表示する映像表示手段と、（ｂ）分注用の各試薬にそれぞれ対応する試薬マークおよび分注用の各溶媒にそれぞれ対応する溶媒マークと反応ブロックの各反応容器にそれぞれ対応する反応容器マークとが選択指定用マークとして一覧表示された選択指定用マーク表示画面を装置稼働に必要な画面の一つとして映像表示手段に映し出す画面表示手段と、（ｃ）選択指定用マーク表示画面に表示中の選択指定用マークの中から必要なマークを画面上で選択指定して入力する画面入力手段と、（ｄ）画面入力手段による選択指定用マークの選択指定結果に基づいて分注手順を作成する分注手順作成手段とを備えていることを特徴とする自動合成装置。
【請求項２】
請求項１に記載の自動合成装置において、画面入力手段による選択指定用マークの選択指定が実行された際には、選択指定用マーク表示画面の選択指定済のマークの色を予め定められた他の色へ変更する表示色制御手段を備えている自動合成装置。
【発明の詳細な説明】
【０００１】
【発明の属する技術分野】
この発明は、化合物を自動的に合成する自動合成装置に係り、試薬および溶媒を反応容器へ分注供給する分注手順（分注プロトコル）を設定するための技術に関する。
【０００２】
【従来の技術】
製薬、ライフサイエンス、化学、材料等の研究分野において用いられる従来の自動合成装置は、図８に示すように、生成反応を行う反応容器５２が多数個配列されている反応ブロック５１を備えていて、シリンジ５３により反応容器５２に試薬や溶媒が予め設定された分注手順に従って分注されるとともに、試薬および溶媒が供給された各反応容器５２において生成反応が同時平行的に進行する構成になっている。したがって、自動合成装置では、複数の化合物が試験的に同時合成されることになる。そして、各反応容器５２で合成された化合物は、各反応容器５２毎に回収される。
【０００３】
この従来の自動合成装置の場合、試薬および溶媒を分注する分注手順の設定に関しては、次のような構成になっている。図９に示す分注手順設定用画面ＰＡを装置稼働に必要な画面の一つとして表示モニタ（図示省略）に映し出しておいて、被分注対象の反応容器や分注対象の試薬および溶媒の種類などをキーボード（図示省略）等で手入力すれば、後は入力結果に基づき、分注手順が自動的に作成される（プログラム化される）構成になっているのである。
【０００４】
【発明が解決しようとする課題】
しかしながら、従来の自動合成装置では、操作者にとって分注手順の設定は、そう簡単ではないという問題がある。操作手順で設定する反応容器の数や試薬および溶媒の種類はけっこう多くて、必要な項目をキーボードで一つずつ手入力するのはかなりの手間であり、簡単ではない。それに、ひとつの合成プロセスが普通は複数の反応ステップからなっており、殆どの反応ステップにそれぞれ分注手順を設定する必要があるので、ひとつの合成反応について必要な分注手順の設定操作は大変な作業となり、操作者にとって大きな負担となる。
【０００５】
この発明は、上記の事情に鑑み、試薬および溶媒を反応容器に分注供給するための分注手順を簡単に設定することができる自動合成装置を提供することを課題とする。
【０００６】
【課題を解決するための手段】
前記課題を解決するために、請求項１の発明の自動合成装置は、生成反応を行う反応容器が複数個配列されている反応ブロックと、反応容器に試薬および溶媒を分注する試薬・溶媒分注手段とを備え、分注ごとに試薬、溶媒及び反応容器について予め設定された分注手順に従って試薬・溶媒分注手段により試薬および溶媒が分注供給された反応容器において生成反応が行われるよう構成された自動合成装置において、（ａ）装置稼働に必要な画面を表示する映像表示手段と、（ｂ）分注用の各試薬にそれぞれ対応する試薬マークおよび分注用の各溶媒にそれぞれ対応する溶媒マークと反応ブロックの各反応容器にそれぞれ対応する反応容器マークとが選択指定用マークとして一覧表示された選択指定用マーク表示画面を装置稼働に必要な画面の一つとして映像表示手段に映し出す画面表示手段と、（ｃ）選択指定用マーク表示画面に表示中の選択指定用マークの中から必要なマークを画面上で選択指定して入力する画面入力手段と、（ｄ）画面入力手段による選択指定用マークの選択指定結果に基づいて分注手順を作成する分注手順作成手段とを備えている。
【０００７】
また、請求項２の発明は、請求項１に記載の自動合成装置において、画面入力手段による選択指定用マークの選択指定が実行された際には、選択指定用マーク表示画面の選択指定済のマークの色を予め定められた他の色へ変更する表示色制御手段を備えている。
【０００８】
〔作用〕
次に、この発明の自動合成装置において、分注手順の設定が行われる際の作用を説明する。
この発明の自動合成装置において分注手順の設定を行う場合、先ず画面表示手段によって、選択指定用マーク表示画面が装置稼働に必要な画面の一つとして映像表示手段に映し出される。映し出された選択指定用マーク表示画面には、分注用の各試薬にそれぞれ対応する試薬マークおよび分注用の各溶媒にそれぞれ対応する溶媒マークと反応ブロックの各反応容器にそれぞれ対応する反応容器マークとが選択指定用マークとして一覧表示されている。そして、操作者は、画面入力手段により、選択指定用マーク表示画面に表示中の選択指定用マークの中の必要なマークに対して画面上で選択指定操作を行う。選択指定用マークに対する選択指定結果は、分注手順作成手段によって、取り込まれて分注手順が自動的に作成（プログラム化）されてゆく。
つまり、この発明の自動合成装置では、分注手順設定の際の試薬および溶媒と反応容器の選択指定が、選択指定用マーク表示画面に表示中の選択指定用マークに対する画面入力操作で行えるのである。
【０００９】
また、請求項２の発明の自動合成装置においては、画面入力手段による選択指定用マークの選択指定が実行された場合、表示色制御手段により、選択指定済のマークの色が予め定められた他の色に変更させられて、選択済の選択指定用マークと未選択のマークとの間に表示色の違いを生じる。
【００１０】
【発明の実施の形態】
続いて、この発明の一実施例を図面を参照しながら説明する。図１は実施例に係る有機自動合成装置の全体構成を示すブロック図、図２は実施例装置の反応系の構成を示す平面図、図３は実施例装置の反応ブロックの要部構成を示す概略図である。
【００１１】
実施例の自動合成装置は、図１に示すように、実際に生成反応が行われる反応系と反応系の動きを司る制御系とからなる。以下、実施例装置の反応系の構成から先に説明する。
実施例装置は、生成反応を行う反応容器２が多数個配列されている反応ブロック（反応ラック）１と、予め設定された分注手順（分注プロトコル）に従って反応容器（反応ベッセル）２に試薬および溶媒を分注する液体分注部３とを備えている。実施例装置の反応ブロック１では、９６個の反応容器２が、図２に示すように、縦横マトリックス状の配列で設置される。反応ブロック１に設置される反応容器２の数は、特定の数に限られず、例えば数十から百前後の容器数が例示される。実施例装置の場合、試薬および溶媒が共通の分注機構により反応容器２に分注供給される形態であるが、試薬と溶媒がそれぞれ別の分注機構によって分注供給されるような形態であってもよい。
【００１２】
液体分注部３は、シリンジ４およびシリンジ４を左右（Ｘ）・前後（Ｙ）・上下（Ｚ）に移動させるシリンジ移動機構部５を備え、制御系側からの指令信号に従ってシリンジ移動機構部５が作動してシリンジ４が必要な位置へ移動させられる構成になっている。
一方、反応ブロック１の傍らには、使用量の多い試薬（薬液）などが入っている大きめの頻用試薬容器（頻用試薬バイアル）６と、使用量の少ない試薬などが入っている小さめの常用試薬容器（常用試薬バイアル）７とが、それぞれ必要本数設置されている。また、溶媒が入っている溶媒容器（ガロンビン）８も、反応ブロック１の傍らに必要本数設置されており、各溶媒容器８はそれぞれ送液ライン９によってシリンジ４と接続されている。
【００１３】
試薬を反応容器２に分注供給する場合、図１の中に点線で図示するように、シリンジ４を分注対象の試薬が入っている頻用試薬容器６あるいは常用試薬容器７の位置まで移動させてシリンジ針４ａから試薬を吸引させた後、シリンジ４を試薬を分注する反応容器２の位置へ移動させてから、吸引試薬をシリンジ針４ａから反応容器２へ注入させる。
溶媒を反応容器２に分注供給する場合、分注対象の溶媒が入っている溶媒容器８から送液ライン９経由で溶媒をシリンジ４に導入させるとともに、シリンジ４を溶媒分注対象の反応容器２の位置へ移動させて、導入溶媒をシリンジ針４ａから反応容器２へ注入させる。
なお、通常は上述のように、頻用試薬容器６あるいは常用試薬容器７の位置で液の吸引を行い、反応容器２の位置で液の注入を行うようシリンジ４を移動させるのであるが、実施例装置の場合、逆に、反応容器２の位置で液の吸引を行い、頻用試薬容器６あるいは常用試薬容器７の位置で液の注入を行うようシリンジ４を移動させることも可能な構成となっている。
【００１４】
実施例装置の反応ブロック１の場合、図３に示すように、各反応容器２の注入口を蓋するシート状の共通セプタム１０と、反応容器２の底側内部を塞ぐよう各反応容器毎に取り付けられた加圧透液型フィルタ１１と、反応容器２の底に連通するよう各反応容器毎に配管されたドレイン１２が設けられているとともに、反応容器２の注入口側にガスボンベＧＢからの加圧気体（例えば高圧不活性ガス）を導入するガス導入ライン１３が設けられている。したがって、試薬注入あるいは溶媒注入の際には、シリンジ針４ａが共通セプタム１０を貫通して反応容器２の中まで進入することになる。また、各反応容器２の中には適当量の固相反応用のレジン粒１４がそれぞれ投入されている他、ガス導入ライン１３の末端には、開閉弁１５が設けられており、反応容器２に加圧気体を導入する時は開閉弁１５が閉じられるよう構成されている。
【００１５】
さらに、実施例装置には、生成反応実施中の反応ブロック１を振動させて各反応容器２の中のレジン粒１４を揺する振動部１６が設置されている他、反応過程で各反応容器２に生じる不要物を排出する排出用トレイ１７、および、生成反応により各反応容器２で得られた化合物を各反応容器毎に回収する回収用ブロック１８も、それぞれ反応ブロック１の下側位置と待機位置の間を移動可能に配設されている。
【００１６】
実施例の自動合成装置による生成反応プロセスでは、必要な試薬や溶媒が分注供給された各反応容器２のレジン粒１４の内で固相反応が進行して目的の化合物が得られる。生成反応終了後は、レジン粒１４の内部に生成した化合物を取り出す抽出用（酸性）薬液を注入口から送り込む。化合物が抽出されたら、ガスボンベＧＢの加圧気体をガス導入ライン１３から導入し、化合物を抽出用薬液と一緒に加圧透液型フィルタ１１を透過させてドレイン１２から回収用ブロック１８へ押し流す。
【００１７】
次に、実施例装置の制御系の構成を説明する。実施例の自動合成装置の場合、装置稼働に必要な種々の画面を表示する映像表示モニタ１９や装置稼働に必要な種々の制御を適時に実行するコントロール部２０を備えるとともに、入力操作用のキーボード（操作卓）２１やマウス（ポインティングデバイス）２２を備えている他、試薬および溶媒を反応容器に分注供給する分注手順を簡単に設定するための特徴的な構成を備えている。以下、この特徴的な構成について具体的に説明する。
【００１８】
先ず実施例装置のコントロール部２０には、図４に示す選択指定用マーク表示画面Ｐ１、および、図５に示す分注手順設定用画面Ｐ２を装置稼働に必要な画面として映像表示モニタ１９に同時に映し出す画面表示部２３を備えるとともに、キーボード２１やマウス２２による入力結果を取り込んで分注手順のプログラムを仕上げる分注手順作成部２４と、選択指定用マーク表示画面Ｐ１の選択指定用マークの色を制御する表示色制御部２５とが設けられており、上記の選択指定用マーク表示画面Ｐ１の方には、図４に示すように、頻用試薬マークＭＡと常用試薬（合成試薬）Ｍａと溶媒マークＭＢおよび反応容器マークＭＣとが選択指定用マークとして一覧表示されていて、マウス２２でもって試薬および溶媒と反応容器の選択指定が行える構成となっている。
【００１９】
選択指定用マーク表示画面Ｐ１の右上区域ＲＡにある６個の頻用試薬マークＭＡは、行（１，２，３）と列（Ａ，Ｂ）とで各頻用試薬容器６のそれぞれと対応付けられて特定されるよう構成されている。また各頻用試薬容器６は中身の頻用試薬と対応付けられていて、頻用試薬マークＭＡを選択指定すれば、対応する頻用試薬が選択指定されることになる。
選択指定用マーク表示画面Ｐ１の右下区域ＲＢにある３２個の常用試薬マークＭａも、行（１，…，９）と列（Ａ，…，Ｄ）とで各常用試薬容器７のそれぞれと対応付けられて特定されるよう構成されている。また各常用試薬容器７は中身の常用（合成）試薬と対応付けられていて、やはり、常用試薬マークＭａを選択指定すれば、対応する常用試薬が選択指定されることになる。
【００２０】
一方、選択指定用マーク表示画面Ｐ１の左端区域ＲＣにある４個の溶媒マークＭＢは、溶媒マークＭＢの直ぐ上に表記されている溶媒のそれぞれと対応付けられており、溶媒マークＭＢを選択指定すれば、そのまま対応する溶媒が選択指定されることになる。
さらに、選択指定用マーク表示画面Ｐ１の中寄り区域ＲＤにある９６個の反応容器マークＭＣは行（１，…，１２）と列（Ａ，…，Ｈ）とで各反応容器２のそれぞれと対応付けられて特定されるよう構成されている。やはり反応容器マークＭＣを選択指定すれば、対応する反応容器２が選択指定されることになる。
【００２１】
そして、選択指定用マーク表示画面Ｐ１に表示中の選択指定用マークの選択指定は、マウス２２により行われるのであるが、理解を容易にするため、頻用試薬マークＭＡの選択指定を行う場合を例にとって具体的に説明する。
図６（ａ）に示すように、頻用試薬マークＭＡの全て（ＡＬＬ）を選択指定する場合、図６（ｂ）に示すように、マウス２２により６個の頻用試薬マークＭＡを全部含むように包囲エリアＡＲを設定する。包囲エリアＡＲの設定には、マウス２２を始点ＳＴＰでクリックした後、終点ＥＤＰまでドラッグ操作すればよい。ドラッグ操作が終わると、続いてマウス２２を右クリックする。そうすると、図６（ｃ）に示すように、プルダウンメニューＰ１ａが選択指定用マーク表示画面Ｐ１に重畳表示される。前述したように、頻用試薬マークＭＡは頻用試薬容器６と対応していて、試薬の吸入だけでなく注入も指定可能なよう構成されている。今は、頻用試薬を吸入するのであるから、プルダウンメニューＰ１ａの吸入の方をマウス２２でをクリックする。これで、６個の頻用試薬マークＭＡが適切に選択指定されたことになる。
勿論、６個の頻用試薬マークＭＡの全てを選択指定しない場合は、選択指定対象だけを囲むように包囲エリアＡＲを設定することになる。
【００２２】
また、上記の選択指定のプロセスにおいて、プルダウンメニューＰ１ａのクリックの前は、各頻用試薬マークＭＡが包囲エリアＡＲの内となった時点で仮指定状態であることを示すために、各頻用試薬マークＭＡの色が表示色制御部２５により白色から緑色へ変更される。
さらに、プルダウンメニューＰ１ａのクリックの後は、仮指定状態から選択指定済に移行したことを示すため、選択指定された各頻用試薬マークＭＡの色は表示色制御部２５により緑色から青色へ再変更される。なお、プルダウンメニューＰ１ａで注入がクリックされた場合、選択指定された各頻用試薬マークＭＡの色は緑色から黄色へ再変更される。
従って、選択指定用マークの色が青色であることは吸引の選択指定がなされたことを明示し、選択指定用マークの色が黄色であることは注入の選択指定がなされたことを明示しているのである。
【００２３】
常用試薬マークＭａおよび反応容器マークＭＣの選択指定も、頻用試薬マークＭＡの場合と同様にして行われる。ただ、溶媒マークＭＢの場合、実施例装置では、溶媒については注入のみが可能であるため、溶媒マークＭＢはマウス２２のクリック操作により選択指定されるとともに、選択指定済の溶媒マークＭＢは、表示色制御部２５により白色から吸引であることも示す青色へ直に変更されることになる。
なお、分注手順の設定に必要な入力操作にはキーボード２１も用いられる。例えば、分注量の入力は（詳しくは後述するように）マウス２２とキーボード２１の両方を用いて行われる。
【００２４】
一方、上記の入力操作によって行われる選択指定用マークの選択指定結果などは、分注手順作成部２４によって取り込まれて分注手順が自動的に作成される（プログラム化される）構成となっている。また、コントローラ２０には、分注手順作成部２４により作成されたプログラムに従って液体分注部３へ指令信号を出す分注制御部２６が設けられていて、実際に分注を実行する場合、分注制御部２６からの指令信号に従って分注が進行させられることになる。
なお、上記の実施例装置の制御系の構成は、パーソナルコンピュータおよびソフトウエア（コンピュータプログラム）を中心に構築されているものである。
【００２５】
続いて、以上に詳述した構成の自動合成装置において、分注手順の設定を行う時の装置動作例を、図面を参照しながら説明する。図７は、実施例装置において分注手順を設定する時の状況を経時的に示すフローチャートである。
【００２６】
〔ステップＳ１〕選択指定用マーク表示画面Ｐ１、および、分注手順設定用画面Ｐ２を映像表示モニタ１９に一緒に映し出す。
【００２７】
〔ステップＳ２〕選択指定用マーク表示画面Ｐ１の６個の頻用試薬マークＭＡをマウス２２により仮指定した後、プルダウンメニューＰ１ａで吸引をクリックすることにより６個の頻用試薬マークＭＡを全て選択指定する。
【００２８】
〔ステップＳ３〕頻用試薬マークＭＡの色は（緑色への変更を経て）青色に変更されるとともに、頻用試薬マークＭＡの選択指定結果が、分注手順作成部２４により分注手順のプログラムの必要エリアに取り込まれ、分注手順設定用画面Ｐ２の「吸引」表記の右側エリアに取り込み内容である「頻用試薬」および「ＡＬＬ」が表示される。
なお、今現在設定中の分注手順では、常用試薬は使われないが、常用試薬も使われる場合は、常用試薬マークＭａに対しても、ステップＳ２，Ｓ３と同様のプロセスに従って常用試薬の選択設定が行われることになる。
【００２９】
〔ステップＳ４〕選択指定用マーク表示画面Ｐ１の反応容器マークＭＣのうちの「１Ｂ」の位置の反応容器マークＭＣを１個だけマウス２２により仮指定した後、プルダウンメニューＰ１ａで注入をクリックすることにより選択指定する。
【００３０】
〔ステップＳ５〕頻用試薬マークＭＡの色は（緑色への変更を経て）黄色に変更されるとともに、反応容器マークＭＣの選択指定結果が分注手順のプログラムの必要エリアに取り込まれ、分注手順設定用画面Ｐ２の「注入」表記の右側エリアに取り込み内容である「反応ラック」および「１Ｂ」が表示される。
【００３１】
〔ステップＳ６〕分注手順設定用画面Ｐ２の「分注量」表記の直ぐ右の数値表示欄Ｐ２ａをマウス２２でクリックして数値変更可能状態とした後、キーボード２１で今の分注量の４００マイクロリットルを入力する。
【００３２】
〔ステップＳ７〕分注量数値の入力結果が分注手順のプログラムの必要エリアに取り込まれる。
【００３３】
〔ステップＳ８〕選択指定用マーク表示画面Ｐ１の溶媒マークＭＢのうちのテトロヒドロフランに対応する（上から３つ目の）溶媒マークＭＢをマウス２２により選択指定する。選択指定された溶媒マークＭＢは青色へ変化する。
【００３４】
〔ステップＳ９〕溶媒マークＭＢの色は青色に変更されるとともに、溶媒マークＭＢの選択指定結果が分注手順のプログラムの必要エリアに取り込まれ、分注手順設定用画面Ｐ２の「使用溶媒」表記の右側エリアに取り込み内容である「テトロヒドロフラン」が表示され、ひとつの分注手順の設定が完了する。
【００３５】
〔ステップＳ１０〕設定しなければならない分注手順が、なお残っていれば、ステップＳ２に戻り、次の分注手順の設定に取りかかる。設定しなければならない分注手順が無ければ、設定操作は終了である。
【００３６】
以上に詳述したように、実施例の自動合成装置によれば、分注手順設定の際の試薬および溶媒と反応容器の選択指定が、映像表示モニタ１９に映し出された選択指定用マーク表示画面Ｐ１に表示中の選択指定用マークの中の必要なマークに対する画面入力操作で行える構成であるので、分注手順の設定は従来に比べて簡単である。
また、実施例装置によれば、試薬マークあるいは反応容器マークが仮指定状態で緑色に変更されるので、マークの選択が適正か否かをチェックし易く、選択間違いが少ない上、選択指定済の選択指定用マークと未選択のマークとの間に表示色の違いが生じる構成であるので、試薬および溶媒や反応容器それぞれの選択・未選択状況が一目で分かる。
【００３７】
この発明は、上記実施の形態に限られることはなく、下記のように変形実施することができる。
（１）実施例装置において、以前の分注手順の設定状態（既設定の分注手順）が設定通りの選択指定用マーク表示画面および分注手順設定用画面とともに呼び出し可能であって、画面上で必要な修正が行えて、修正後の内容を新規の分注手順として設定できる構成が付加されている装置が、変形例として挙げられる。各反応容器での分注手順は類似していることが多く、既設定の分注手順を少し修正すれば、別の分注手順となる場合も少なくないので、変形例の装置によりば、一層、分注手順の設定が簡単となる。
【００３８】
（２）実施例装置では、溶媒の場合は吸引だけなので、溶媒マークの選択指定は仮指定を経ないで指定形態であったが、溶媒の場合も吸引と注入の両方が可能であって、試薬マークや反応容器マークの場合と同様に、溶媒マークの仮指定の後、プルダウンメニューを呼び出しておいて、吸引か注入を選択する指定形態であってもよい。
【００３９】
（３）実施例装置では、試薬マークあるいは反応容器マークは仮指定状態で緑色に変更されるよう構成されていたが、仮指定状態ではマークの色が変更されず選択指定済となってから始めてマークの色が変更されるような装置構成であってもよい。
【００４０】
（４）実施例装置では、選択指定用マーク表示画面と分注手順設定用画面が同時に映像表示モニタに映し出される構成であったが、選択指定用マーク表示画面が分注手順設定用画面のプルダウンメニューとして表示されるような装置構成であってもよい。
【００４１】
（５）実施例装置では、反応系が１組であったが、１組の制御系でコントロールされる同一の反応系が二組設けられている構成の装置が、変形例として挙げられる。
【００４２】
（６）実施例装置は有機自動合成装置であり、また固相反応により化合物が合成される構成であったが、この発明の装置は、無機自動合成装置であってもよいし、また液相反応により化合物が合成される構成の装置であってもよい。
【００４３】
【発明の効果】
以上に詳述したように、請求項１の発明の自動合成装置によれば、試薬および溶媒を反応容器に分注供給する分注手順設定の際の試薬および溶媒と反応容器の選択指定が、映像表示手段に映し出された選択指定用マーク表示画面に表示中の選択指定用マークの中の必要なマークに対する画面入力操作で行える構成であるので、分注手順の設定が簡単に行えるようになる。
【００４４】
また、請求項２の発明の自動合成装置によれば、選択指定済の選択指定用マークの色が予め定められた他の色に変更させられて、選択済の選択指定用マークと未選択のマークとの間に表示色の違いが生じる構成であるので、試薬および溶媒や反応容器それぞれの選択・未選択状況が一目で分かる。
【図面の簡単な説明】
【図１】実施例に係る有機自動合成装置の全体構成を示すブロック図である。
【図２】実施例装置の反応系の構成を示す平面図である。
【図３】実施例装置の反応ブロックの要部構成を示す概略図である。
【図４】実施例装置の選択指定用マーク表示画面を示す正面図である。
【図５】実施例装置の分注手順設定用画面を示す正面図である。
【図６】実施例装置における頻用試薬の選択指定過程を示す模式図である。
【図７】実施例装置により分注手順を設定する時の状況を経時的に示すフローチャートである。
【図８】従来の自動合成装置の要部構成を示す概略図である。
【図９】従来の自動合成装置の分注手順設定用画面を示す正面図である。
【符号の説明】
１              …反応ブロック
２              …反応容器
３              …液体分注部
１９            …映像表示モニタ
２１            …キーボード
２２            …マウス
２３            …画面表示部
２４            …分注手順作成部
２５            …表示色制御部
Ｐ１            …選択指定用マーク表示画面
ＭＡ            …頻用試薬マーク
Ｍａ            …常用試薬マーク
ＭＢ            …溶媒マーク
ＭＣ            …反応容器マーク
【図１】
0004193237.tif 000002
【図２】
0004193237.tif 000003
【図３】
0004193237.tif 000004
【図４】
0004193237.tif 000005
【図５】
0004193237.tif 000006
【図６】
0004193237.tif 000007
【図７】
0004193237.tif 000008
【図８】
0004193237.tif 000009
【図９】
0004193237.tif 000010